(57)【要約】【課題】  送信同期信号のフィードバックループを形成して同期信号を何度もチェックし、同期の偏差を補償するＴＤＤに基づく移動通信端末のチャンネル同期化装置を提供しようとする。【解決手段】  データ信号をＲＦ信号に変換する送信部８０と、受信されたＲＦ信号を端末により処理可能な信号に復元する受信部９０と、前記送信部８０又は受信部９０をアンテナに連結するために、ＴＤＤスイッチングを行う第１スイッチング手段４０と、前記送信部８０の同期信号を受信部９０にフィードバックさせる第２スイッチング手段２００と、前記受信部９０を通してフィードバックされた同期信号を分析して前記第１スイッチング手段４０を制御するモデム１１０と、を含んで移動通信端末装置を構成する。【選択図】  図１
2004328720.tif 000002
【特許請求の範囲】
【請求項１】
データ信号をＲＦ（Ｒａｄｉｏ  Ｆｒｅｑｕｅｎｃｙ）信号に変換する送信部と、
受信されたＲＦ信号を端末により処理可能な信号に復元する受信部と、
前記送信部又は受信部をアンテナに連結するために、ＴＤＤ（Ｔｉｍｅ  Ｄｉｖｉｓｉｏｎ  Ｄｕｐｌｅｘ）スイッチングを行う第１スイッチング手段と、
前記送信部の同期信号を受信部にフィードバックさせる第２スイッチング手段と、
前記受信部を通してフィードバックされた同期信号を分析して前記第１スイッチング手段を制御するモデムと、を含んで構成されることを特徴とする移動通信端末装置。
【請求項２】
前記第２スイッチング手段は、前記モデムの制御信号によって、前記同期信号のフィードバック経路を開閉することを特徴とする請求項１記載の移動通信端末装置。
【請求項３】
前記フィードバック経路は、送信部のＤ／Ａ変換器の出力端と受信部のＡ／Ｄ変換器の入力端とを連結させることを特徴とする請求項２記載の移動通信端末装置。
【請求項４】
前記フィードバック経路は、送信部のＲＦ信号処理部の出力端とＲＦ信号処理部の入力端とを連結させることを特徴とする請求項２記載の移動通信端末装置。
【請求項５】
前記モデムは、
所定パターンの同期信号を生成して送信部に伝達する同期信号生成部と、
前記同期信号がフィードバックされたとき、それを分析するパターン分析部と、
該分析に基づいて前記第１スイッチング手段を制御する制御部と、から構成されることを特徴とする請求項１記載の移動通信端末装置。
【請求項６】
前記モデムは、前記同期信号生成部から生成されるパターン中何れか一つを同期信号のパターンに選択するパターン選択部を更に含むことを特徴とする請求項５記載の移動通信端末装置。
【請求項７】
前記パターン分析部は、フィードバックされた同期信号のパターンと基準同期信号のパターンとの偏差を求めて、該求められた情報を前記モデムに提供することを特徴とする請求項５記載の移動通信端末装置。
【請求項８】
前記端末装置は、ＴＤＤに基づくことを特徴とする請求項１記載の移動通信端末装置。
【請求項９】
前記モデムは、前記同期信号が発生されるとき、同期信号のフィードバック経路が形成されるように前記第２スイッチング手段を制御することを特徴とする請求項１記載の移動通信端末装置。
【請求項１０】
ＴＤＤに基づく移動通信端末であって、
モデムが所定パターンの同期信号を生成すると、それを送信部に伝送する過程と、
送信部の一区間で、前記同期信号を抽出して受信部に印加する過程と、
該印加された同期信号のパターンと基準信号のパターンとを比較して分析する過程と、
該分析結果に基づいてＴＤＤスイッチを制御する過程と、を行うことを特徴とするチャンネル同期化方法。
【請求項１１】
前記分析する過程は、印加された同期信号のパターンと基準同期信号のパターンとの偏差を求めて、該求められた情報を前記モデムに提供する過程であることを特徴とする請求項１０記載のチャンネル同期化方法。
【請求項１２】
前記送信部の一区間は、Ｄ／Ａ変換器の出力端であることを特徴とする請求項１０記載のチャンネル同期化方法。
【請求項１３】
前記送信部の一区間は、ＲＦ信号処理部の出力端であることを特徴とする請求項１０記載のチャンネル同期化方法。
【発明の詳細な説明】
【技術分野】
【０００１】
本発明は、ＴＤＤ（Ｔｉｍｅ  Ｄｉｖｉｓｉｏｎ  Ｄｕｐｌｅｘ）に基づく移動通信端末に係るもので、詳しくは、端末のチャンネル同期化装置に関するものである。
【背景技術】
【０００２】
ＴＤＤ（Ｔｉｍｅ  Ｄｉｖｉｓｉｏｎ  Ｄｕｐｌｅｘ）は、フレーム周期の一部の時間がアップリンク伝送に割り当てられ、フレーム周期の残りの時間がダウンリンク伝送に割り当てられるように無線チャンネルを時間的に分割するデュプレキシング技法であって、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ）のＵＴＲＡ（ＵＭＴＳ  Ｔｅｒｒｅｓｔｒｉａｌ  Ｒａｄｉｏ  Ａｃｃｅｓｓ）規格で定義する３世代移動通信方式の一つである。且つ、ＴＤＤ方式は、無線区間での送信と受信とが一つの共通周波数帯域で行われるという点に特徴がある。
【０００３】
ＴＤＤは、同一の周波数によりアップリンク及びダウンリンク伝送を行うため、アップリンク及びダウンリンク伝送は、基地局システムが予め定めたタイムスロットにより行われる。このとき、正確なアップリンク／ダウンリンク同期はＴＤＤの必須条件であるため、これが守られないと通信は不可能になる。更に、初期同期（Ｉｎｉｔｉａｌ  Ａｃｑｕｉｓｉｔｉｏｎ）が確保されるべき音声及び映像などのマルチメディア通信において、アップリンク／ダウンリンク同期は一層精密であるべきである。
【０００４】
従来は、アップリンク及びダウンリンクのタイムスロット位置を制御するとき、まず、ＴＤＤ端末によりダウンリンクのタイムスロット（受信チャンネルのタイムスロット）を探す。即ち、ＴＤＤ端末は、基地局との受信チャンネルを開放して、全体のタイムスロット情報及びダウンリンクのタイムスロット情報を得てダウンリンクの各タイムスロットの境界値を認知する。次いで、ダウンリンクのタイムスロットを探した後、ＴＤＤ端末は、アップリンクに送るデータを送信部に送る。このとき、ＴＤＤスイッチのスイッチング転換時点も共に知らせる。
【０００５】
図３は従来のＴＤＤ端末機を示したブロック図で、図示されたように、従来のＴＤＤ端末は、データ信号をＲＦ（Ｒａｄｉｏ  Ｆｒｅｑｕｅｎｃｙ）信号に変換する送信部６０と、受信されたＲＦ信号を端末により処理可能な信号に復元する受信部７０と、アンテナを前記受信部７０又は送信部６０に連結するスイッチング動作を行うＴＤＤスイッチ４０と、該ＴＤＤスイッチ４０を制御するデジタル基底帯域モデム（Ｄｉｇｉｔａｌ  Ｂａｓｅ−Ｂａｎｄ  ｍｏｄｅｍ；以下、モデムと称す）１０と、を含んで構成されている。
【０００６】
又、前記送信部６０は、フィルタ２０と、デジタル／アナログ変換器（Ｄｉｇｉｔａｌ  ｔｏ  Ａｎａｌｏｇ（Ｄ／Ａ）  ｃｏｎｖｅｒｔｅｒ）２１と、ＩＦ（Ｉｎｔｅｒｍｅｄｉａｔｅ  Ｆｒｅｑｕｅｎｃｙ）信号処理部２２と、ＲＦ信号処理部２３と、から構成され、前記受信部７０は、ＲＦ信号処理部３３と、ＩＦ信号処理部３２と、アナログ／デジタル変換器（Ａｎａｌｏｇ  ｔｏ  Ｄｉｇｉｔａｌ（Ａ／Ｄ）  ｃｏｎｖｅｒｔｅｒ）３１と、フィルタ３０と、から構成される。
【０００７】
又、前記ＴＤＤスイッチ４０は、アンテナを通して受信された信号がＲＦ信号処理部３３に伝達されるか、又は、ＲＦ信号処理部２３の信号がアンテナを通して送出されるように、ＲＦ信号処理部３３及びＲＦ信号処理部２３に対するスイッチング動作を行う。このようなＴＤＤスイッチ４０の動作は、前記モデム１０により制御される。
【０００８】
まず、前記ＴＤＤスイッチ４０は、受信チャンネルの同期を確保した後、送信チャンネルのタイムスロットが受信チャンネルのタイムスロットと重ならないように、アンテナから前記ＲＦ信号処理部３３に伝達される受信信号及びＲＦ信号処理部２３からアンテナに伝達される送信信号を適切にスイッチングする。前記ＴＤＤスイッチ４０のスイッチング動作（或いは転換）時点は、前記モデム１０を除いた各装置が信号を処理するのに必要な時間、即ち、送信部６０及び受信部７０を構成する各素子が信号（ＲＦ信号又はＩＦ信号）を処理するのに必要な時間（遅延時間）を考慮して決定される。このとき、前記各素子の遅延時間は、チャンネルのパラメータにより基地局側から各端末に一律的に伝達される固定値であるため、端末に具備された各素子の実際の遅延時間とは差が大きい。
【０００９】
次いで、スイッチング動作時点が決定されると、ＴＤＤスイッチ４０はそれをそのまま維持する。
【００１０】
又、従来は、一旦同期化されると、前記ＴＤＤスイッチ４０が正しくスイッチング動作を行うかを検証することができない。
【００１１】
最近は、前記モデム１０をソフトウェアに具現して端末の生産費用を低下するための研究が試みられているが、この場合、ソフトウェアの特性上、一つのクロック単位にデータのタイムスロット位置を精密に制御することが困難である。又、同期化が行われる時毎にタイムスロットの位置が変わるため、端末機器の性能が低下される。即ち、送信を決定した時点及び実際にデータが送信される時点がクロック単位に変動されるため、ソフトウェアプラットホームに基づくデジタル基底帯域モデム１０は、精密に時間を制御することができない。
【００１２】
且つ、前記モデム１０がハードウェアプラットホームに基づくものであると、モデムから出た信号がＲＦ信号処理部まで到達するのに必要な時間の変動幅が小さいので、前述したスイッチング動作が比較的正確に行われる。
【特許文献１】特開１９９７−２７１０７１号公報
【特許文献２】特開２００２−１６５２６３号公報
【特許文献３】特開２００２−１０１００９号公報
【特許文献４】欧州特許出願公開第０，９２０，１４０号明細書
【特許文献５】米国特許第６，１４４，６５０号明細書
【発明の開示】
【発明が解決しようとする課題】
【００１３】
然るに、従来のモデム１０は、如何なる形態のプラットホーム（ソフトウェア或いはハードウェア）に基づくかに関係なく、端末機又は基地局側から提供する別途の同期信号を利用することで、受信部７０のタイムスロット境界を正確に合せることができるが、送信部６０のタイムスロット境界が正確に同期化されたかを知ることができないという不都合な点があった。
【００１４】
又、基地局が一つの端末の通信を処理する場合、送信チャンネルの同期が初期に円滑に行われなくても漸進的に合せることができるが、一般に、基地局は多様な端末の通信を処理するため、一つの端末の不正確な送信は他の端末の通信に影響を与えるか障害を引き起こす。即ち、送信同期が行われずに出力される一つの端末のタイムスロットは、他の各端末に割り当てられたタイムスロットを侵すという不都合な点があった。
【００１５】
このとき、前記モデム１０の内部演算過程により、直ちにデータ送信が行われず、システムが定めたデータの伝送時点とモデムから実際にデータを出力する時点とが一致しないことが頻繁に発生するため、送信チャンネルのタイムスロットが受信チャンネルとのタイムスロット境界を侵すことがないように、従来の端末装置によりＴＤＤスイッチ４０を精密に動作させることは不可能である。
【００１６】
従って、モデムが如何なる形態のプラットホーム（ソフトウェア或いはハードウェア）に基づくかに関係なく、送信チャンネルの同期を精密に維持させ、送信チャンネルのタイムスロットが受信チャンネルとのタイムスロット境界を侵すことがないように保障するチャンネル同期化装置が要求される。
【００１７】
本発明は、このような従来の課題に鑑みてなされたもので、送信同期信号のフィードバックループを形成して同期信号を何度もチェックし、同期の偏差を補償するＴＤＤに基づく移動通信端末のチャンネル同期化装置を提供することを目的とする。
【課題を解決するための手段】
【００１８】
このような目的を達成するため、本発明に係る移動通信端末装置は、データ信号をＲＦ信号に変換する送信部と、受信されたＲＦ信号を端末により処理可能な信号に復元する受信部と、前記送信部又は受信部をアンテナに連結するために、ＴＤＤスイッチングを行う第１スイッチング手段と、前記送信部の同期信号を受信部にフィードバックさせる第２スイッチング手段と、前記受信部を通してフィードバックされた同期信号を分析して前記第１スイッチング手段を制御するモデムと、を含んで構成されることを特徴とする。
【００１９】
又、前記第２スイッチング手段は、前記モデムの制御信号によって前記同期信号のフィードバック経路を開閉することを特徴とする。
【００２０】
又、前記フィードバック経路は、送信部のＤ／Ａ変換器の出力端と受信部のＡ／Ｄ変換器の入力端とを連結させることを特徴とする。
【００２１】
又、前記フィードバック経路は、送信部のＲＦ信号処理部の出力端とＲＦ信号処理部の入力端とを連結させることを特徴とする。
【００２２】
又、前記モデムは、所定パターンの同期信号を生成して送信部に伝達する同期信号生成部と、前記同期信号がフィードバックされたとき、それを分析するパターン分析部と、該分析に基づいて前記第１スイッチング手段の動作を制御する制御部と、から構成されることを特徴とする。
【００２３】
又、前記モデムは、前記同期信号生成部から生成される同期信号のパターンを選択するパターン選択部を更に含むことを特徴とする。
【００２４】
又、前記パターン分析部は、フィードバックされた同期信号のパターンと基準同期信号のパターンとの偏差を求めて、該求められた情報を前記モデムに提供することを特徴とする。
【００２５】
又、前記端末装置は、ＴＤＤに基づくことを特徴とする。
【００２６】
且つ、本発明に係るチャンネル同期化装置は、ＴＤＤに基づく移動通信端末装置であって、送信部の同期信号を受信部に印加させるフィードバック経路を提供するスイッチング手段と、受信部を通してフィードバックされた同期信号のパターンを分析するパターン分析手段と、該分析に基づいてＴＤＤスイッチを制御するモデムと、を含んで構成されることを特徴とする。
【００２７】
又、前記モデムは、所定パターンの同期信号を生成して送信部に伝達する同期信号生成部と、前記パターン分析手段の分析に基づいて前記ＴＤＤスイッチの動作を制御する制御部と、から構成されることを特徴とする。
【００２８】
且つ、本発明に係るチャンネル同期化方法は、ＴＤＤに基づく移動通信端末であって、モデムが所定パターンの同期信号を生成すると、それを送信部に伝送する過程と、送信部の一区間で、前記同期信号を抽出して受信部に印加する過程と、該印加された同期信号のパターンと基準信号のパターンとを比較して分析する過程と、該分析結果に基づいてＴＤＤスイッチを制御する過程と、を行うことを特徴とする。
【００２９】
本発明による移動通信端末装置は、データ信号をＲＦ（Ｒａｄｉｏ  Ｆｒｅｑｕｅｎｃｙ）信号に変換する送信部と、受信されたＲＦ信号を端末により処理可能な信号に復元する受信部と、前記送信部又は受信部をアンテナに連結するために、ＴＤＤ（Ｔｉｍｅ  Ｄｉｖｉｓｉｏｎ  Ｄｕｐｌｅｘ）スイッチングを行う第１スイッチング手段と、前記送信部の同期信号を受信部にフィードバックさせる第２スイッチング手段と、前記受信部を通してフィードバックされた同期信号を分析して前記第１スイッチング手段を制御するモデムと、を含んで構成されることを特徴とし、これにより上記目的を達成する。
【００３０】
前記第２スイッチング手段は、前記モデムの制御信号によって、前記同期信号のフィードバック経路を開閉することを特徴としてもよい。
【００３１】
前記フィードバック経路は、送信部のＤ／Ａ変換器の出力端と受信部のＡ／Ｄ変換器の入力端とを連結させることを特徴としてもよい。
【００３２】
前記フィードバック経路は、送信部のＲＦ信号処理部の出力端とＲＦ信号処理部の入力端とを連結させることを特徴としてもよい。
【００３３】
前記モデムは、所定パターンの同期信号を生成して送信部に伝達する同期信号生成部と、前記同期信号がフィードバックされたとき、それを分析するパターン分析部と、該分析に基づいて前記第１スイッチング手段を制御する制御部と、から構成されることを特徴としてもよい。
【００３４】
前記モデムは、前記同期信号生成部から生成されるパターン中何れか一つを同期信号のパターンに選択するパターン選択部を更に含むことを特徴としてもよい。
【００３５】
前記パターン分析部は、フィードバックされた同期信号のパターンと基準同期信号のパターンとの偏差を求めて、該求められた情報を前記モデムに提供することを特徴としてもよい。
【００３６】
前記端末装置は、ＴＤＤに基づくことを特徴としてもよい。
【００３７】
前記モデムは、前記同期信号が発生されるとき、同期信号のフィードバック経路が形成されるように前記第２スイッチング手段を制御することを特徴としてもよい。
【００３８】
本発明によるチャンネル同期化方法は、ＴＤＤに基づく移動通信端末であって、モデムが所定パターンの同期信号を生成すると、それを送信部に伝送する過程と、送信部の一区間で、前記同期信号を抽出して受信部に印加する過程と、該印加された同期信号のパターンと基準信号のパターンとを比較して分析する過程と、該分析結果に基づいてＴＤＤスイッチを制御する過程と、を行うことを特徴とし、これにより上記目的を達成する。
【００３９】
前記分析する過程は、印加された同期信号のパターンと基準同期信号のパターンとの偏差を求めて、該求められた情報を前記モデムに提供する過程であることを特徴としてもよい。
【００４０】
前記送信部の一区間は、Ｄ／Ａ変換器の出力端であることを特徴としてもよい。
【００４１】
前記送信部の一区間は、ＲＦ信号処理部の出力端であることを特徴としてもよい。
【発明の効果】
【００４２】
本発明に係るチャンネル同期化装置は、送信部８０、受信部９０及びモデム１１０を繋ぐ送信同期信号のフィードバックループを形成して、送信（又はアップリンク）同期信号を何度もチェックし、送信チャンネルの同期エラーを復旧し得るという効果がある。
【００４３】
又、本発明に係るチャンネル同期化装置は、ハードウェアに基づくモデムを使用する端末だけでなく、ソフトウェアに基づくモデムを使用する端末にも適用し得るという効果がある。
【発明を実施するための最良の形態】
【００４４】
以下、本発明の実施の形態に対し、図面に基づいて説明する。
【００４５】
図１は本発明に係るチャンネル同期化装置を示したブロック図で、図示されたように、本発明に係るチャンネル同期化装置は、データ信号をＲＦ信号に変換する送信部８０と、受信されたＲＦ信号を端末により処理可能な信号に復元する受信部９０と、前記送信部８０又は受信部９０をアンテナに連結するために、ＴＤＤ（Ｔｉｍｅ  Ｄｉｖｉｓｉｏｎ  Ｄｕｐｌｅｘ）スイッチングを行うＴＤＤスイッチ４０と、前記送信部８０の同期信号を受信部９０にフィードバックさせるスイッチング手段２００と、前記受信部９０を通してフィードバックされた同期信号を分析して前記ＴＤＤスイッチ４０を制御するモデム１１０と、を含んで構成されている。
【００４６】
又、本発明に係るチャンネル同期化装置は、送信経路と受信経路間に所定の信号伝達経路（以下、「フィードバック経路」と称す）を具備していて、送信部８０、受信部９０及びモデム１１０を連結する所定のフィードバックループを形成する。
【００４７】
又、前記モデム１１０は、所定パターンの同期信号を生成して送信部８０に伝達する同期信号生成部１２０と、前記同期信号がフィードバックされたとき、それを分析する同期信号分析部１３０と、該分析に基づいて前記ＴＤＤスイッチ４０の動作を制御するスイッチ制御部１１１と、から構成される。且つ、前記モデム１１０は、同期信号生成部１２０から生成される同期信号のパターンを選択するパターン選択部１１２を更に含んでいる。
【００４８】
又、前記同期信号生成部１２０は、パターン選択部１１２の選択によって、周期的又は非周期的デジタル波形を生成する。前記同期信号生成部１２０及び同期信号分析部１３０は、モデム１１０の一部に具備されることが好ましいが、一つの独立された装置として具現することもできる。前記送信部８０及び受信部９０は、図１に示したように、従来とほとんど同様な構成及び機能を有する。
【００４９】
又、前記同期信号分析部１３０は、受信部９０からモデム１１０にフィードバックされる同期信号を検出してそれを調査する。
【００５０】
且つ、前記同期信号分析部１３０は、前記同期信号生成部１２０から送信部８０に伝送された同期信号のパターン、チャンネルのパラメータ値によるフィルタ３０、５０及びコンバータ２１、３１の処理遅延時間、及び送信データの伝送時点を知っている。よって、同期信号分析部１３０は、基準同期信号パターンと実際に受信された同期信号パターンとを比較することで、モデム１１０の内部処理による偏差を求める。又、前記偏差に対する情報を前記ＴＤＤスイッチ４０を制御するモデム１１０のスイッチ制御部１１１に提供する。このとき、前記基準同期信号は、送信の開始時点及び各装置の処理遅延時間を考慮して決定されたものである。
【００５１】
又、前記スイッチング手段（以下、「同期スイッチ」と称す）２００の位置は、変更することができる。即ち、モデム１１０が送信部８０及び受信部９０の各構成装置の遅延時間を既に知っていて、送受信経路（アップリンク及びダウンリンク経路）の各装置で遅延される時間を予測できるため、前記同期スイッチ２００の位置はいくらでも変更することができる。本発明の他の実施形態として、前記同期スイッチ２００は、前記ＲＦ信号処理部２３の出力端と受信経路（ダウンリンク経路）のＲＦ信号処理部３３の入力端とを連結する所に位置することができる。
【００５２】
このとき、前記同期スイッチ２００を制御する信号は、前記ＴＤＤスイッチ４０の制御信号と連動されることが好ましい。場合によって、モデム１１０は、前記ＴＤＤスイッチ４０の制御信号により前記同期スイッチ２００を制御することもできる。
【００５３】
図２は本発明に係るチャンネル同期化方法を示したフローチャートで、図示されたように、本発明に係るチャンネル同期化方法は、モデムが所定パターンの同期信号を生成すると、それを送信部に伝送する過程（Ｓ１０、Ｓ２０）と、送信部の一区間で、前記同期信号を抽出して受信部に印加する過程（Ｓ３０）と、印加された同期信号のパターンと基準信号のパターンとを比較して分析する過程（Ｓ４０）と、該分析結果に基づいてＴＤＤスイッチを制御する過程（Ｓ５０）と、を行う。
【００５４】
以下、本発明に係るチャンネル同期化装置の動作及び作用に対し、図１及び図２に基づいて説明する。
【００５５】
まず、端末は基地局及び受信チャンネルを設定し、自身に割り当てられた全体のタイムスロット及び受信タイムスロットに対する情報を収集し、該収集された情報に基づいて受信同期化を行う。次いで、受信同期化が終了されると、端末は収集された情報（全体のタイムスロット及び受信タイムスロットに対する情報）に基づいて、送受信タイムスロットの境界地点を探して送信同期化を行う。
【００５６】
次いで、送信同期が正常であるかを確認するために、端末は所定パターンの同期信号を発生させながら、前記同期スイッチ２００を駆動させ、前記同期信号を送信部８０に伝達する。次いで、該送信部８０に伝達された同期信号はフィルタ５０及びＤ／Ａ変換器２１を経てアナログ信号に変換された後、前記フィードバック経路を通して受信部９０に伝達される。次いで、該受信部９０に伝達された同期信号は、Ａ／Ｄ変換過程及び所定の濾過過程を経た後、前記モデム１１０に伝達される。
【００５７】
次いで、同期信号分析部１３０は、前記モデム１１０に伝達される同期信号を検出し、該検出された同期信号のパターンと基準同期信号のパターンとを比較して分析する。次いで、前記スイッチ制御部１１１は、前記分析結果に基づいてＴＤＤスイッチ４０のスイッチング動作を制御する。
【００５８】
一般の通信状態における同期スイッチ２００は、前記フィードバック経路を断絶させて、前記送信部８０と受信部９０とが相互分離された状態を維持する。又、モデム１１０が同期信号を生成するとき、前記同期スイッチ２００は動作する。
【００５９】
端末は、送信チャンネルの同期化過程が終了された後も、同期信号が生成される時毎に前記フィードバック経路を通して伝達される同期信号をモニターしながら、送信チャンネルの同期が正常であるかを判定する。該判定結果、送信チャンネルの同期が非正常であると、前記スイッチ制御部１１１によりＴＤＤスイッチ４０を制御することで復旧する。
【００６０】
以上説明したように、本発明に係るチャンネル同期化装置は、端末自体が送信チャンネルの同期に発生する偏差を適応的に補償して、基地局との通信を再設定することなく、端末自体が送信チャンネルの同期エラーを復旧することができる。
【００６１】
尚、本発明に係るチャンネル同期化装置は、上述の実施例に限られるものではない。本発明の技術的範囲から逸脱しない範囲内で多様に変形実施することが可能である。以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【００６２】
（要旨）
送信同期信号のフィードバックループを形成して同期信号を何度もチェックし、同期の偏差を補償するＴＤＤに基づく移動通信端末のチャンネル同期化装置を提供しようとする。データ信号をＲＦ信号に変換する送信部８０と、受信されたＲＦ信号を端末により処理可能な信号に復元する受信部９０と、前記送信部８０又は受信部９０をアンテナに連結するために、ＴＤＤスイッチングを行う第１スイッチング手段４０と、前記送信部８０の同期信号を受信部９０にフィードバックさせる第２スイッチング手段２００と、前記受信部９０を通してフィードバックされた同期信号を分析して前記第１スイッチング手段４０を制御するモデム１１０と、を含んで移動通信端末装置を構成する。
【図面の簡単な説明】
【００６３】
【図１】本発明に係るチャンネル同期化装置を示したブロック図である。
【図２】本発明に係るチャンネル同期化方法を示したフローチャートである。
【図３】従来のＴＤＤ端末を示したブロック図である。
【符号の説明】
【００６４】
２１：デジタル／アナログ（Ｄ／Ａ）変換器
２２、３２：ＩＦ信号処理部
２３、３３：ＲＦ信号処理部
３０、５０：フィルタ
３１：アナログ／デジタル（Ａ／Ｄ）変換器
４０：ＴＤＤスイッチ
１０、１１０：モデム
１１１：スイッチ制御部
６０、８０：送信部
７０、９０：受信部
１１２：パターン選択部
１２０：同期信号生成部
１３０：同期信号分析部
２００：同期スイッチ
【図１】
2004328720.tif 000003
【図２】
2004328720.tif 000004
【図３】
2004328720.tif 000005